(57)【要約】【課題】台車側面や床面等の汚れを軽減できる火葬用の台車の提供を目的とする。【解決手段】棺載置台２は、火葬される棺８が載置される台部６の外周に周壁部９が台部６の全周にわたって立設されてなり、前記周壁部９の上面に汚汁の溢流を抑止する溢流抑止部１０が設けられている構成にしてある。また、溢流抑止部１０が、周壁部９の上面に下向きに陥入して形成された略Ｖ字状溝１４であるものである。そして、火葬用の受皿体３は、火葬される棺８が載置される台部６の外周に周壁部９が台部の全周にわたって立設されてなる棺載置台２を支持する底板１７と、前記底板１７の外周全周にわたって立設された側板１８とから受皿状に形成され、前記側板１８は棺載置台２の側面から外方に離間して設けられているものである。【選択図】図１
2008051461.tif 000002
【特許請求の範囲】
【請求項１】
火葬される棺が載置される台部の外周に周壁部が台部の全周にわたって立設されてなり、前記周壁部の上面に汚汁の溢流を抑止する溢流抑止部が設けられていることを特徴とする棺載置台。
【請求項２】
溢流抑止部が、周壁部の上面に下向きに陥入して形成された略Ｖ字状の溝であることを特徴とする請求項１に記載の棺載置台。
【請求項３】
火葬される棺が載置される台部の外周に周壁部が台部の全周にわたって立設されてなる棺載置台を支持する底板と、前記底板の外周全周にわたって立設された側板とから受皿状に形成され、前記側板は棺載置台の側面から外方に離間して設けられていることを特徴とする火葬用の受皿体。
【請求項４】
火葬される棺が載置される台部の外周に周壁部が台部の全周にわたって立設されてなる棺載置台と、前記棺載置台を支持する底板と、前記底板の外周全周にわたって立設された側板とから受皿状に形成される受皿体と、受皿体の下方に設けられた車輪と、棺載置台と受皿体との間に介設されて棺載置台を高さ位置可変に支持する支持部材とを備えたことを特徴とする火葬用の台車。
【請求項５】
棺載置台が請求項１若しくは請求項２に記載の棺載置台であることを特徴とする請求項４に記載の火葬用の台車。
【発明の詳細な説明】
【技術分野】
【０００１】
本発明は、棺載置台、火葬用の受皿体及び火葬用の台車に関するものである。
【背景技術】
【０００２】
従来、火葬用の台車は、火葬時に遺体から発生する血液や油脂分などの汚汁によって汚れ、作業者や収骨者に不快感を与えていた。そこで、下記特許文献１には、棺載置台の上部を外方に突出させ、下部より大きく形成して、遺体から発生する汚汁が、棺載置台と下面に車輪が取り付けられた車輪付板との接合部に進入するのを防止する技術が開示されている。
【０００３】
【特許文献１】特開平７−２６０１１４号公報
【発明の開示】
【発明が解決しようとする課題】
【０００４】
しかしながら、特許文献１記載の火葬用の台車では、汚汁が側面を伝わった後、床面などに落下する。このため、収骨作業の際台車を移動させると床面等が広い範囲で汚れるといった問題が生じる。
【０００５】
本発明は、上記した従来の問題点に鑑みてなされたものであって、台車側面や床面等の汚れを軽減できる火葬用の台車の提供を目的とする。
【課題を解決するための手段】
【０００６】
上記目的を達成するために、本発明に係る棺載置台は、火葬される棺が載置される台部の外周に周壁部が台部の全周にわたって立設されてなり、前記周壁部の上面に汚汁の溢流を抑止する溢流抑止部が設けられている構成にしてある。
【０００７】
また、前記構成において、溢流抑止部が、周壁部の上面に下向きに陥入して形成された略Ｖ字状溝であることを特徴とするものである。
【０００８】
そして、本発明に係る火葬用の受皿体は、火葬される棺が載置される台部の外周に周壁部が台部の全周にわたって立設されてなる棺載置台を支持する底板と、前記底板の外周全周にわたって立設された側板とから受皿状に形成され、前記側板は棺載置台の側面から外方に離間して設けられているものである。
【０００９】
更に、本発明に係る火葬用の台車は、火葬される棺が載置される台部の外周に周壁部が台部の全周にわたって立設されてなる棺載置台と、前記棺載置台を支持する底板と、前記底板の外周全周にわたって立設された側板とから受皿状に形成される受皿体と、受皿体の下方に設けられた車輪と、棺載置台と受皿体との間に介設されて棺載置台を高さ位置可変に支持する支持部材とを備えたものである。
【００１０】
更に、火葬される棺が載置される台部の外周に周壁部が台部の全周にわたって立設されてなる棺載置台と、前記棺載置台を支持する底板と、前記底板の外周全周にわたって立設された側板とから受皿状に形成される受皿体と、受皿体の下方に設けられた車輪と、棺載置台と受皿体との間に介設されて棺載置台を高さ位置可変に支持する支持部材とを備えた火葬用の台車において、棺載置台が周壁部の上面に汚汁の溢流を抑止する溢流抑止部が設けられており、及び／または、前記溢流抑止部が、周壁部の上面に下向きに陥入して形成された略Ｖ字状溝であるものである。
【発明の効果】
【００１１】
本発明に係る棺載置台によれば、周壁部の上面に汚汁の溢流を抑止する溢流抑止部が設けられているので、汚汁が周壁部を超えて溢流する前に、溢流抑止部に溜まり、外方への溢流を抑止し、火葬用の台車側面や床面等の汚れを軽減することができる。
【００１２】
また、溢流抑止部が、周壁部の上面に下向きに陥入して形成された略Ｖ字状の溝である場合は、皮スキ等の、刃先が直線状のケレン作業用道具等により溝に付着した汚汁を除去する作業が容易に行える。
【００１３】
そして、棺載置台の側面から、外方に離間して、受皿体の側板を設けたので、棺載置台の周壁部を溢流した汚汁が棺載置台の側面を伝って落ちてきても、この汚汁は棺載置台の側面と受皿体の側板との間の隙間に入り込んで受皿体の上に収容されることとなる。よって、その汚汁が床面等に落下して、床面などを汚し、作業者や収骨者に不快感を与えるといったことがない。
【００１４】
更に、棺載置台と受皿体との間に介設する支持部材を設け、該支持部材を、棺載置台の高さ位置可変に支持するよう構成したので、例えば火葬炉の壁面に設けられた段差部と棺載置台の間の距離を微調整することができる。これにより、最適な燃焼状態を維持しつつ、汚汁の棺載置台上面からの溢流を抑止できる。
【発明を実施するための最良の形態】
【００１５】
本発明の最良の実施形態を図面に基づいて説明する。ここに、図１は本発明の一実施形態に係る火葬用の台車の分解斜視図、図２は前記火葬用の台車の側断面図、図３は前記火葬用の台車の正断面図である。各図において、この実施形態に係る火葬用の台車１は、火葬される棺が載置される棺載置台２と、棺載置台２を収容するように上面が開口した受皿状の受皿体３と、受皿体３の下方に設けられた車輪４と、棺載置台２と受皿体３との間に介設されて棺載置台２を支持する支持部材５とより構成される。
【００１６】
棺載置台２は、例えば縦２１００ｍｍ、横７１０ｍｍの平面視矩形状で、高さ１００ｍｍの大きさであり、キャスタブル耐火物等の耐火材により構成される。棺載置台２の上面中央部には、平面視略矩形状の台部６が形成され、この台部６には、鉄や煉瓦等により構成されるロストル７を介して棺８が載置される。また、棺載置台２の下面は金属製の下部カバー３７で被覆されている。
【００１７】
台部６の外周には、全周にわたって台部６上面からの高さが２０ｍｍ〜５０ｍｍ、幅８０ｍｍ〜１００ｍｍの周壁部９が立設されている。周壁部９の上面には汚汁の溢流を抑止する溢流抑止部１０が設けられている。汚汁とは、遺体を火葬する際に遺体から発生する血液や油脂などである。
【００１８】
溢流抑止部１０は周壁部９の対向する長尺の辺２辺に形成され、周壁部９の上面に下向きに陥入して形成された断面略Ｖ字状の溝１４である。図３に拡大して示すように、この溢流抑止部１０は、周壁部９の幅方向中央部に形成され、例えば溝１４の深さＤは８ｍｍ〜１２ｍｍ、溝１４の幅Ｗは１５ｍｍ〜４０ｍｍ程度とする。
【００１９】
溝１４の深さＤが８ｍｍ〜１２ｍｍのときは、汚汁の溢流抑止効果が特に良好となり、且つ、溝１４に溜まった汚汁を清掃する作業も容易となる。また、溝１４の幅Ｗが１５ｍｍ〜４０ｍｍのときは、汚汁の溢流抑止効果が特に良好となり、且つ、周壁部９の強度が低下しないので、火葬の際に棺載置台２が高温となって周壁部９が割れるといったおそれもない。
【００２０】
周壁部９の上面は溢流抑止部１０の内側にある内上面１５と、外側にある外上面１６との高さが異なっている。即ち、内上面１５は外上面１６より１ｍｍ〜３ｍｍ程度低く形成されている。これは、例えば、火葬開始後木製の棺８が焼失した後に、遺体４５の燃焼が進行して、ロストル７上面に載置されている遺体４５がロストル７から転がり落ち、火葬炉２５の燃焼室２６の内壁４７にもたれかかったような場合（図５参照）に汚汁の溢流を防止する。このような場合、溝１４のある一部分に局部的に汚汁が集中して滞留することとなるが、かかる汚汁は外上面１６を乗り越えて外部に溢流するより先に、内上面１５を乗り越えて、棺載置台２の中央部に向かって流れるようになる。
【００２１】
上記のような溢流抑止部１０を有する棺載置台２は、図４に示すようなスチール製の矩形状型枠３０を用いて製造される。この型枠３０は、溢流抑止部の溝、内上面及び台部に対応する位置を突出させた凸部３５が形成されている。そして、耐火セメント（キャスタブル耐火物）及び水等の棺載置台２の構成材料の混練物を、前記型枠３０に流し込み、常法に従って、１００℃〜７００℃に加熱乾燥させて成形する。
【００２２】
受皿体３は、棺載置台２を収容、載置可能な寸法、形状に形成された底板１７と、前記底板１７の周縁部全周にわたって立設された側板１８とから受皿状に一体に形成されている。材質は、例えば鉄製等である。底板１７は、棺載置台２の下面よりも縦、横ともに１ｍｍ〜１０ｍｍ程度大きくなっており、受皿体３の側板１８と棺載置台２の側面１９とは隙間Ｓだけ離間している。即ち、隙間Ｓは例えば０．５ｍｍ〜５ｍｍ程度となる。
【００２３】
受皿体３には、砂等の汚汁収容材４６が収容されている。この汚汁収容材４６が棺載置台２から溢流してきた汚汁を吸収して、収容保持する。汚汁収容材４６は大きめの粒径のものが好ましい。粒子間の空隙が大きいために多くの汚汁を収容できるからである。また、汚汁収容材４６は、火葬の際、高温となった棺載置台２からの熱を遮断し、車輪取付板３６を介して受皿体３の下面に取設されている金属製の車輪４が焼け付くのを抑止する。
【００２４】
支持部材５，５，５，５は、例えば長さ１０ｍｍ〜２５０ｍｍの螺子部を有するボルト２１と２個のナット２２，２２とを１組として構成されている。各支持部材５は、底板１７の四角近傍の４箇所に形成された貫通孔２３に、ボルト２１の螺子部が下方から挿入され、底板１７の上面及び下面において２個のナットで螺止される。そして、ボルト２１の螺止部先端が棺載置台２の下面２０に当接して、棺載置台２を支持する。底板１７から突出しているボルト２１の螺子部の高さを調整することにより、棺載置台２の高さ位置を調整することができる。
【００２５】
引続き、火葬用の台車１の動作につき、以下に説明する。
図５に示すように、棺載置台２の台部６にロストル７を介して棺８を載置し、火葬炉２５の燃焼室２６に火葬用の台車１を搬入して燃焼バーナ（図示せず）により加熱する。すると、棺８に収容した遺体等から汚汁等が発生する。この汚汁等は台部６に滞留し、徐々に蒸発又は燃焼するが、一部は、周壁部９の内上面１５を溢出して、溢流抑止部１０である溝１４に溜まっていく。
【００２６】
特に、遺体の部位により、汚汁が多く発生する部分の近傍では、溢流抑止部１０の一箇所に集中して汚汁が溜まり始めるが、液面を水平に保つために汚汁は溢流抑止部１０の溝１４を液面のより低い方向に流れ始める。また、内上面１５が外上面１６より低く形成されているので、外上面１６を超えて汚汁が溢流しづらくなっている。
【００２７】
更に、燃焼が進行すると、遂には外上面１６を超えて汚汁が溢流し、棺載置台２の側面１９を伝って流れ落ち、該側面１９と受皿体３の側板１８との隙間Ｓ（図２，３参照）に入り込む。そして、汚汁収容材４６に浸透し収容保持される。また、この時、燃焼室２６の下方に設けられている、火葬用の台車１が収容される台車収容室３８の上面にあたる上面段差部３９と、周壁部９の外上面１６との間を、汚汁が通過し、棺載置台２の側面１９を伝うが、この上面段差部３９と周壁部９の外上面１６との間の距離Ｂは支持部材５の高さ位置を調整することにより、１ｍｍ〜５ｍｍ程度としておく。
【００２８】
これにより、例えば、ロストル７上面に載置されていた遺体４５がロストル７から転がり落ち、燃焼室２６の内壁４７にもたれかかったような場合に、この遺体４５から流出した汚汁が、燃焼室２６の内壁４７を伝い下方に向かって流れることとなるが、このようにして内壁４７の下端５０から周壁部９に落ちた汚汁や、また、台部６から溢出した汚汁が、外上面１６を溢出して棺載置台２の側面１９に流れ出る前に、一旦、上面段差部３９と外上面１６との間の距離Ｂを有する部分で堰き止められ、一部は棺載置台２に戻るので、棺載置台２の側面１９を伝って下方へ落下する量を減少させることができる。
【００２９】
上面段差部３９と周壁部９の外上面１６との間の隙間Ｂが１ｍｍより小さい場合は、火葬時の熱膨張により、棺載置台２が大きくなって、距離Ｂがなくなってしまい、燃焼室２６への酸素の供給が不足する。上面段差部３９と周壁部９の外上面１６との隙間Ｂが５ｍｍより大きい場合は、側面１９を伝って下方に落下する汚汁の量を減少させる効果が得られにくくなる。
【００３０】
また、このように上面段差部３９と外上面１６との間の距離Ｂを有する部分で汚汁が堰き止められる構造とするため、燃焼室２６の左右の内壁４７の下端５０間の距離は、棺載置台２の左右の溝１４間の距離と略同じか又は短くしてあり、内壁４７を伝った汚汁は、床面４９や受皿体３上に落下することなく、必ず棺載置台２の溢流抑止部１０又は台部６に落下するようにしている。
【００３１】
以上より、棺載置台２の周壁部９の上面に汚汁の溢流を抑止する溢流抑止部１０が設けられているので、汚汁が周壁部９を超えて溢流する前に、溢流抑止部１０に汚汁が溜まり、溢流を抑止することができる。
【００３２】
溢流抑止部１０が、周壁部９の上面に下向きに陥入して形成された略Ｖ字状の溝１４であるので、皮スキ等の、刃先が直線状のケレン作業用道具等により溝１４に付着した汚汁を除去する作業が容易に行える。
【００３３】
棺載置台２の側面１９から外方に離間して、受皿体３の側板１８を配置しているので、棺載置台２の周壁部９を溢流した汚汁が棺載置台２の側面１９を伝って落ちてきても、側面１９と側板１８との間の隙間Ｓに入り込んで受皿体３の上に収容されることとなる。よって、その汚汁が床面４９等に落下して、床面４９等を汚し、作業者や収骨者に不快感を与えるといったことがない。
【００３４】
また、棺載置台２と受皿体３との間に支持部材５を介設し、該支持部材５を棺載置台２の高さ位置可変に支持するように構成したので、火葬炉２５の台車収容室３８の上面段差部３９と、周壁部９の外上面１６との間の距離Ｂを微調整することができる。これにより、最適な燃焼状態を維持しつつ、汚汁の棺載置台２上面からの溢流を抑止できる。
【００３５】
また、従来、棺を載置する棺載置台の下面などには、金属製のアンカーが埋設されていた。よって、棺載置台とアンカーとの熱膨張率の違いにより棺載置台にひび割れが生じ、１年程度で交換する必要が生じるとの問題が生じていた。しかし、本実施形態に係る火葬用の台車１では、アンカーを全く用いておらず、このようなひび割れの心配がなく、長期間使用可能である。
【００３６】
尚、上記の実施形態では、溢流抑止部１０は周壁部９の長尺方向である縦方向に対向する２辺の上面に設けたが、本発明に係る火葬用の台車の溢流抑止部はこれに限定されず、周壁部の全周に亘る周溝を設けてもよい。また、溢流抑止部１０は、周壁部９の上面に下向きに陥入して形成された略Ｖ字状の溝１４としたが、本発明の溢流抑止部１０はそれに限定されるものでなく、例えば図６（ａ）に示す断面略Ｕ字状の溝１４ａ、同図（ｂ）に示す溝の角が断面略直角である溝１４ｂか、または同図（ｃ）に示す上方に立設した壁上部１４ｃでもよい。
【００３７】
また、周壁部９の外上面１６と内上面１５の高さに違いを設けたが、これに限定されず、同程度の高さであってもよい。
【図面の簡単な説明】
【００３８】
【図１】本発明の一実施形態に係る火葬用の台車の分解斜視図である。
【図２】前記火葬用の台車の側断面図である。
【図３】前記火葬用の台車の正断面図である。
【図４】前記火葬用の台車の棺載置台の成型用枠体の外観図である。
【図５】前記火葬用の台車の使用態様図である。
【図６】本発明の他の実施形態に係る火葬用の台車の溢流抑止部の部分正断面図である。
【符号の説明】
【００３９】
１  火葬用の台車
２  棺載置台
３  受皿体
４  車輪
５  支持部材
６  台部
８  棺
９  周壁部
１０  溢流抑止部
１４，１４ａ，１４ｂ  溝
１４ｃ  壁上部
１７  底板
１８  側板
１９  棺載置台の側面
【図１】
2008051461.tif 000003
【図２】
2008051461.tif 000004
【図３】
2008051461.tif 000005
【図４】
2008051461.tif 000006
【図５】
2008051461.tif 000007
【図６】
2008051461.tif 000008